(57)【特許請求の範囲】
【請求項１】
液保持性の吸収性コアと接着剤を介して該吸収性コアを包む被覆シートとを有する縦長の吸収体を具備し、腹側部、背側部、股下部に区分された使い捨ておむつであって、
前記吸収性コアは、前記股下部における長手方向に沿う両側部それぞれに、離間した空間部を形成しており、
前記接着剤は、前記吸収性コアの前記空間部に対応する位置に配されておらず、
前記吸収体においては、前記吸収性コアの前記空間部の上面及び下面に位置する該吸収性コアを包む前記被覆シート同士が前記接着剤で固定されておらず、
前記吸収性コアは、前記股下部の前記両側部それぞれが幅方向内側に括れた括れ部を有しており、該括れ部が前記空間部であり、
前記接着剤は、前記空間部に対応する位置のみ配されていない使い捨ておむつ。
【請求項２】
液保持性の吸収性コアと接着剤を介して該吸収性コアを包む被覆シートとを有する縦長の吸収体を具備し、腹側部、背側部、股下部に区分された使い捨ておむつであって、
前記吸収性コアは、前記股下部における長手方向に沿う両側部それぞれに、離間した空間部を形成しており、
前記接着剤は、前記吸収性コアの前記空間部に対応する位置に配されておらず、
前記吸収体においては、前記吸収性コアの前記空間部の上面及び下面に位置する該吸収性コアを包む前記被覆シート同士が前記接着剤で固定されておらず、
前記吸収性コアは、中央吸収性コアと、前記股下部における該中央吸収性コアの両側縁部に沿って対称的に配された一対のサイド吸収性コアと、該中央吸収性コアと一対のサイド吸収性コアそれぞれとの間に配された切離部とを有しており、該切離部が前記空間部であり、
前記接着剤は、前記空間部に対応する位置のみ配されていない使い捨ておむつ。
【請求項３】
前記使い捨ておむつは、前記吸収体の非肌対向面に液不透過性の裏面シートを具備し、
前記吸収体は、吸収体固定用接着剤を介して前記裏面シートに固定されており、
前記吸収体固定用接着剤は、前記股下部における前記吸収性コアの前記中央吸収性コアに対応する位置に配されている請求項２に記載の使い捨ておむつ。
【請求項４】
前記吸収性コアは、高吸収性ポリマーを有する請求項１〜３の何れか１項に記載の使い捨ておむつ。
【発明の詳細な説明】
【技術分野】
【０００１】
本発明は、展開型、パンツ型等の使い捨ておむつに関する。
【背景技術】
【０００２】
従来より、使い捨ておむつとして、液透過性の表面シートと、液非透過性の裏面シートと、それらシートの間に配された吸収体とを備えており、該吸収体が、液保持性の吸収性コアと該吸収性コアを被覆する被覆シートとを有している使い捨ておむつが知られている。
【０００３】
例えば、特許文献１には、中央吸収体、一対のサイド吸収体及び切離部を有する吸収体と、吸収体の全体を被覆する被覆シートとを備えた使い捨ておむつであって、切離部における肌当接面側に位置する被覆シートと非肌当接面側に位置する被覆シートとの間が、接着剤により接合固定されている使い捨ておむつが記載されている。また、引用文献２には、綿状パルプを主体とした吸収コアの全体がクレープ紙により包むように額巻きされた上で、透液性のトップシートおよび不透液性のバックシート間に配置された使い捨ておむつが記載されている。
【先行技術文献】
【特許文献】
【０００４】
【特許文献１】特開２００６−２４７３６３号公報
【特許文献２】特開２００３−８８５５５号公報
【発明の概要】
【発明が解決しようとする課題】
【０００５】
特許文献１に記載の使い捨ておむつのように、吸収体の切離部における肌当接面側に位置する被覆シートと非肌当接面側に位置する被覆シートとの間が、接着剤により接合固定されていると、着用時における外観がスッキリとし、股下部における吸収体の起立による立体形成が良好で、フィット性及び防漏性に優れている。しかし、更に横漏れを防止し、防漏性を向上させたいとのニーズがあった。
【０００６】
また、特許文献２に記載の使い捨ておむつは、トップシートと吸収体のクレープ紙との間に、更に液透過性のセカンドシートを備えており、特許文献２には、セカンドシートとクレープ紙とを固定するホットメルト接着剤の塗工位置については記載されているが、吸収体のクレープ紙とバックシートとを固定するホットメルト接着剤の塗工位置については記載されておらず、吸収体に含まれる吸収性ポリマー本来の吸収力を十分に発揮できるように、ホットメルト接着剤を塗工する位置については何ら記載されていない。
【０００７】
したがって、本発明の課題は、股下部の両側部それぞれに空間部を有する吸収体を備えた使い捨ておむつにおいて、吸収体に含まれる吸収性ポリマー本来の吸収力を十分に発揮させ、防漏性を向上させた使い捨ておむつを提供することにある。
【課題を解決するための手段】
【０００８】
本発明は、液保持性の吸収性コアと接着剤を介して該吸収性コアを包む被覆シートとを有する縦長の吸収体を具備し、腹側部、背側部、股下部に区分された使い捨ておむつであって、前記吸収性コアは、前記股下部における長手方向に沿う両側部それぞれに、離間した空間部を形成しており、前記接着剤は、前記吸収性コアの前記空間部に対応する位置に塗布されておらず、前記吸収体においては、前記吸収性コアの前記空間部の上面及び下面に位置する該吸収性コアを包む前記被覆シート同士が前記接着剤で固定されていない使い捨ておむつを提供するものである。
【発明の効果】
【０００９】
本発明の使い捨ておむつによれば、吸収体に含まれる吸収性ポリマー本来の吸収力が十分に発揮され、防漏性が向上する。
【図面の簡単な説明】
【００１０】
【図１】図１は、本発明の第１実施形態である展開型の使い捨ておむつの一部破断平面図である。
【図２】図２は、図１のＸ１−Ｘ１線断面図である。
【図３】図３は、図１のＸ２−Ｘ２線断面図である。
【図４】図４は、体液吸収後の図１に示すおむつのＸ１−Ｘ１線断面図である。
【図５】図５は、本発明の第２実施形態である展開型の使い捨ておむつの一部破断平面図である。
【図６】図６は、図５のＸ３−Ｘ３線断面図である。
【図７】図７は、図５のＸ４−Ｘ４線断面図である。
【図８】図８は、体液吸収後の図５に示すおむつのＸ３−Ｘ３線断面図である。
【発明を実施するための形態】
【００１１】
以下、本発明の使い捨ておむつを、その好ましい第１実施形態に基づき、図１〜図４を参照しながら説明する。
【００１２】
第１実施形態の使い捨ておむつ１Ａ（以下、「おむつ１Ａ」ともいう。）は、図１に示すように、液保持性の吸収性コア４１と接着剤５を介して吸収性コア４１を包む被覆シート４２とを有する縦長の吸収体４を具備し、腹側部Ａ、背側部Ｂ、股下部Ｃに区分されたおむつである。腹側部Ａは装着時に装着者の腹側に配される領域であり、背側部Ｂは装着時に装着者の背側に配される領域であり、股下部Ｃは腹側部Ａ及び背側部Ｂの間に配される領域である。以下、おむつ１Ａについて、詳述する。
【００１３】
おむつ１Ａは、図１〜図４に示すように、中心線ＣＬに対して左右対称に形成されている。従って以下の説明では、左右対称な部分については、主に、右側について説明する。
また、本明細書において、「肌当接面」とは、おむつ１Ａを構成する各部材の表裏両面のうち、装着時に装着者の肌側に配される面であり、図２〜図４における「上面」と同じ面である。また、「非肌当接面」とは、おむつ１Ａを構成する各部材の表裏両面のうち、装着時に装着者の肌側とは反対側に向けられる面であり、図２〜図４における「下面」と同じ面である。
おむつ１Ａは、図１に示すように、腹側部Ａから股下部Ｃを介して背側部Ｂに亘る方向の長手方向（以下「Ｙ方向」ともいう。Ｙ方向：中心線ＣＬに平行な方向をいう。）と、長手方向（Ｙ方向）に直交する幅方向（以下「Ｘ方向」ともいう。）とを備えている。
【００１４】
おむつ１Ａは、図１に示すように、背側部Ｂの左右両側縁に連設された左右一対のファスニングテープ７，７を有する所謂展開型の使い捨ておむつである。おむつ１Ａは、腹側部Ａの外面には、ファスニングテープ７を止着するターゲットシート（不図示）を有している。
尚、おむつ１Ａは、図１に示すように、平面状に拡げた状態において、吸収体４と同方向に長い形状を有している。
【００１５】
おむつ１Ａは、図１に示すように、長手方向（Ｙ方向）に長く、長手方向（Ｙ方向）の両側縁が、長手方向（Ｙ方向）の中央部において内方に括れた形状を有しており、長手方向（Ｙ方向）の両端部それぞれの幅が、長手方向（Ｙ方向）の中央部の幅よりも広くなっている。おむつ１Ａは、図１に示すように、おむつ１Ａの内面をなす表面シート２と、おむつ１Ａの外面をなす裏面シート３と、これらのシート２，３間に介在された吸収体４とを有している。表面シート２及び裏面シート３それぞれは、図１に示すように、吸収体４の肌当接面側の全面及び非肌当接面側の全面を覆っており、吸収体４の周縁から延出しており、延出した部分において、ホットメルト等の接着剤やヒートシール等の融着により固定されている。
【００１６】
図１に示すおむつ１Ａには、長手方向（Ｙ方向）に沿う両側部に、表面シート２を介してサイドシート（不図示）が配されていないが、長手方向（Ｙ方向）に沿う両側部それぞれにサイドシート（不図示）を配して表面シート２の肌当接面側にホットメルト等の接着剤等を用いて固定し、各サイドシート（不図示）の幅方向（Ｘ方向）の内方（中心線ＣＬ寄り）の自由端部に、長手方向（Ｙ方向）に伸長状態の立体ギャザー形成用の弾性部材を配設固定し、着用時には、その弾性部材の収縮力により、表面シート２から離間する立体ギャザー（不図示）が形成されるようにしてもよい。また、股下部Ｃにおいて、幅方向（Ｘ方向）外方に延出したサイドシート（不図示）と裏面シート３との間に、レッグギャザー形成用の弾性部材（不図示）を配設固定し、着用時には、その弾性部材の収縮力により、レッグギャザー（不図示）が形成されるようにしてもよい。
【００１７】
吸収体４は、図２，図３に示すように、長手方向（Ｙ方向）に長い長方形状であり、液保持性の吸収性コア４１と吸収性コア４１を包む被覆シート４２とを有しており、吸収性コア４１が接着剤５を介して被覆シート４２に固定されて形成されている。吸収体４は、上述したように、表面シート２と裏面シート３との間に配されている。吸収体４と裏面シート３との間、即ち、吸収体４を構成する被覆シート４２と裏面シート３との間は、図２，図３に示すように、ホットメルト等の公知の吸収体固定用接着剤６をスパイラルパターン等の間欠パターンで塗布して、接合されている。
【００１８】
吸収体固定用接着剤６に用いるホットメルト型の接着剤としては、この種のおむつにおいて従来用いられている各種のものを用いることができる。好ましいホットメルト型の接着剤としては、ゴム系、オレフィン系ホットメルト接着剤が挙げられる。吸収体固定用接着剤６の塗布量（接着剤の固形分換算での塗工量）は、１〜１０ｇ／ｍ2であることが好ましい。
【００１９】
吸収体４を構成する吸収性コア４１は、股下部Ｃにおける長手方向（Ｙ方向）に沿う両側部４１ｓ，４１ｓそれぞれに、離間した空間部４１ｃを形成している。具体的に、おむつ１Ａについて述べると、吸収性コア４１は、股下部Ｃの両側部４１ｓ，４１ｓそれぞれが幅方向（Ｘ方向）内側に括れた括れ部を有しており、長手方向（Ｙ方向）の側部４１ｓにおける吸収体４の外縁から離間して空いた括れ部が空間部４１ｃである。空間部４１ｃである括れ部は、その頂点４１ｃ１が、吸収性コア４１の腹側部Ａ又は背側部Ｂにおける外側縁から幅方向（Ｘ方向）内側に１０〜１００ｍｍの位置に配されて括れていることが好ましく、幅方向（Ｘ方向）内側に１５〜４０ｍｍの位置に配されて括れていることが更に好ましい。
【００２０】
吸収性コア４１としては、この種のおむつに従来用いられている各種のものを用いることができ、尿などの体液を吸収する吸収性を有するものであればその種類は特に制限されず、例えば高吸収性ポリマー、粉砕パルプ等の吸収性物質が挙げられる。高吸収性ポリマーはパルプ中に混合された状態で用いられる他、裏面シート３側に散布したり、層状にして厚み方向中央に挿入したりすることができる。あるいは、公知手段によりポリマーシート化するなどの手段で部分的に配置してもよい。吸収性コア４１は高吸収性ポリマーを有するものが好ましい。前記高吸収性ポリマーとしては、この種のおむつにおいて従来用いられている各種のものを用いることができ、例えば、ポリアクリル酸ソーダ、（アクリル酸− ビニルアルコール）共重合体、ポリアクリル酸ソーダ架橋体、（デンプン−アクリル酸）グラフト重合体、（イソブチレン−無水マレイン酸）共重合体及びその ケン化物、ポリアクリル酸カリウム、並びにポリアクリル酸セシウム等が挙げられ、これらの１種を単独で又は２種以上を混合して用いることができる。
【００２１】
吸収体４を構成する被覆シート４２は、吸収性コア４１を包み込むことにより、吸収性コア４１の保形性を保ち、また、高吸収性ポリマー等の吸収性コア４１の構成成分の脱落を防止するものである。被覆シート４２は、図１，図２，図３に示すように、おむつ１Ａにおいては、１枚からなる。詳述すると、被覆シート４２は、長手方向（Ｙ方向）においては、図１に示すように、吸収性コア４１の長手方向（Ｙ方向）の長さ以上の長さであり、幅方向（Ｘ方向）においては、図２，図３に示すように、吸収性コア４１の肌当接面（上面）を被覆し、更に吸収性コア４１の非肌当接面（下面）側に巻き込まれ、吸収性コア４１の非肌当接面（下面）の幅方向（Ｘ方向）中央部で重なり合うようにして、吸収性コア４１を包み込んでいる。尚、おむつ１Ａの被覆シート４２は、上述したように、１枚からなるが、吸収性コア４１の肌当接面（上面）を第１の被覆シートで被覆し、吸収性コア４１の非肌当接面（下面）を２枚目の第２の被覆シートで被覆して、吸収性コア４１を包み込んでいてもよい。
【００２２】
被覆シート４２としては、この種のおむつにおいて台紙などと称して従来用いられている各種の液透過性のものを用いることができ、例えば、繊維材シートや、穿孔フィルムなどを用いることができる。液の透過が良好な観点から、被覆シート４２は親水性の繊維シートからなることが好ましい。親水性の繊維シートとしては、ティッシュペーパー等の紙や各種不織布を用いることができる。不織布としては、コットンやレーヨンなどの親水性繊維からなる不織布や、合成樹脂の繊維に親水化処理を施してなる不織布が挙げられる。具体的には、界面活性剤で処理されたスパンボンド不織布、スパンレース不織布、エアレイド不織布、エアスルー不織布などが挙げられる。被覆シート４２の坪量は、好ましくは  ８〜２０ｇ／ｍ2である。
【００２３】
本発明の使い捨ておむつにおいては、接着剤５は、吸収性コア４１の空間部４１ｃに対応する位置に塗布されていない。おむつ１Ａにおける接着剤５について詳述すると、接着剤５は、図１，図２，図３に示すように、吸収性コア４１の肌当接面（上面）と被覆シート４２との間に塗布された上面接着剤５Ｕと吸収性コア４１の非肌当接面（下面）と被覆シート４２との間に塗布された下面接着剤５Ｄとを有している。上面接着剤５Ｕ及び下面接着剤５Ｄにより、吸収性コア４１と被覆シート４２とが固定されている。上面接着剤５Ｕ及び下面接着剤５Ｄそれぞれの塗布領域について詳述すると、おむつ１Ａにおいては、幅方向（Ｘ方向）においては、吸収性コア４１の両側部４１ｓ，４１ｓに配された空間部４１ｃ（括れ部）の頂点４１ｃ１，４１ｃ１同士の間に亘って、長手方向（Ｙ方向）においては、吸収性コア４１の長手方向（Ｙ方向）の全長に亘って形成されており、それ以外の領域、即ち、空間部４１ｃ（括れ部）の頂点４１ｃ１よりも幅方向（Ｘ方向）外方の領域においては吸収性コア４１の長手方向（Ｙ方向）の全長に亘って（腹側部Ａから背側部Ｂに亘って）形成されておらず、吸収性コア４１の空間部４１ｃに対応する位置に塗布されていない。
【００２４】
上面接着剤５Ｕ及び下面接着剤５Ｄとしては、この種のおむつにおいて従来用いられている各種のホットメルト型の接着剤を用いることができ、好ましいホットメルト型の接着剤としては、ゴム系、オレフィン系のホットメルト接着剤が挙げられる。このような接着剤をスパイラルパターン等の間欠パターンで塗布して、吸収性コア４１と被覆シート４２とを固定している。上面接着剤５Ｕの塗布量（接着剤の固形分換算での塗工量）は、１〜１０ｇ／ｍ2であることが好ましく、２〜３ｇ／ｍ2であることが更に好ましい。下面接着剤５Ｄの塗布量も上面接着剤５Ｕの塗布量と同量であることが好ましい。
【００２５】
上述したように、接着剤５（上面接着剤５Ｕ及び下面接着剤５Ｄ）は、おむつ１Ａにおいては、空間部４１ｃ（括れ部）の頂点４１ｃ１よりも幅方向（Ｘ方向）外方の領域においては吸収性コア４１の腹側部Ａから背側部Ｂに亘って塗布されていないが、体液吸収後の吸収性コア４１の型崩れのし難さの観点から、空間部４１ｃ（括れ部）に対応する位置にのみ塗布されていないことが好ましい。詳述すると、上面接着剤５Ｕ及び下面接着剤５Ｄは、それぞれ、空間部４１ｃである括れ部に対応する位置にのみ塗布されていないことが好ましい。言い換えれば、上面接着剤５Ｕ及び下面接着剤５Ｄそれぞれの塗布領域は、幅方向（Ｘ方向）においては、吸収性コア４１の両側部４１ｓ，４１ｓに配された空間部４１ｃ（括れ部）の頂点４１ｃ１，４１ｃ１同士の間に亘って、長手方向（Ｙ方向）においては、吸収性コア４１の長手方向（Ｙ方向）の全長に亘って（腹側部Ａから背側部Ｂに亘って）形成されており、更に、腹側部Ａ及び背側部Ｂの大部分においては、空間部４１ｃ（括れ部）の頂点４１ｃ１よりも幅方向（Ｘ方向）外方の領域においても形成されており、それ以外の領域には形成されていないことが好ましい。
【００２６】
上述のように接着剤５（上面接着剤５Ｕ及び下面接着剤５Ｄ）が、吸収性コア４１の空間部４１ｃ（括れ部）に対応する位置に塗布されていないので、吸収体４においては、吸収性コア４１の空間部４１ｃ（括れ部）の上面及び下面に位置する吸収性コア４１を包む被覆シート４２同士が接着剤５で固定されていない。具体的には、図２，図３に示すように、おむつ１Ａにおける上面接着剤５Ｕ及び下面接着剤５Ｄは、空間部４１ｃ（括れ部）の頂点４１ｃ１よりも幅方向（Ｘ方向）外方の領域においては吸収性コア４１の腹側部Ａから背側部Ｂに亘って塗布されていないので、吸収性コア４１の空間部４１ｃ（括れ部）の上面（肌当接面）に位置する被覆シート４２Ｕと吸収性コア４１の空間部４１ｃ（括れ部）の下面（非肌当接面）に位置する被覆シート４２Ｄとが固定されていない。
【００２７】
第１実施形態の使い捨ておむつ１Ａの形成材料について説明する。
表面シート２、裏面シート３を形成するシートとしては、それぞれ、通常、使い捨ておむつ等の吸収性物品に用いられるものであれば、特に制限なく用いることができる。例えば、表面シート２としては、親水性且つ液透過性の不織布等を用いることができ、裏面シート３としては、液不透過性又は撥水性の樹脂フィルムや樹脂フィルムと不織布の積層体等を用いることができる。
ファスニングテープ７としては、通常、使い捨ておむつ等の吸収性物品に用いられるものであれば、特に制限なく用いることができる。例えば、ファスニングテープ７を構成するフック材としては、「マジックテープ（登録商標）」（クラレ社製）、「クイックロン（登録商標）」（ＹＫＫ社製）、「マジクロス（登録商標）」（カネボウベルタッチ社製）等におけるオス部材等を用いることができる。
【００２８】
上述した本発明の第１実施形態である使い捨ておむつ１Ａ（以下、「おむつ１Ａ」ともいう。）を使用した際の作用効果について説明する。
おむつ１Ａの接着剤５（上面接着剤５Ｕ及び下面接着剤５Ｄ）は、吸収性コア４１の空間部４１ｃに対応する位置に塗布されておらず、吸収体４においては、吸収性コア４１の空間部４１ｃの上面に位置する被覆シート４２Ｕと空間部４１ｃの下面に位置する被覆シート４２Ｄとが接着剤５で固定されていない。その為、この固定されていない部分が膨らみ代となり、図４に示すように、おむつ１Ａの使用中に、吸収性コア４１が装着者の体液を吸収して膨張したとしても、吸収性コア４１の膨張を阻害し難く、吸収体４に含まれる吸収性ポリマー本来の吸収力が十分に発揮され、防漏性が向上する。
【００２９】
次に、本発明の第２実施形態の使い捨ておむつ１Ｂ（以下、「おむつ１Ｂ」とも言う。）について、図５〜図８に基づいて説明する。
第２実施形態のおむつ１Ｂについては、第１実施形態のおむつ１Ａと異なる点について説明する。特に説明しない点は、おむつ１Ａと同様であり、おむつ１Ａの説明が適宜適用される。
【００３０】
おむつ１Ｂの吸収性コア４１は、図５，図６，図７に示すように、中央吸収部としての中央吸収性コア４１１と、股下部Ｃにおける中央吸収性コア４１１の両側縁部４１１ｓ，４１１ｓに沿って対称的に配された一対のサイド吸収部としてのサイド吸収性コア４１２，４１２と、中央吸収性コア４１１と一対のサイド吸収性コア４１２，４１２それぞれとの間に配された切離部４１３とを有している。おむつ１Ｂにおいては、中央吸収性コア４１１は腹側部Ａから背側部Ｂに亘って配されており、サイド吸収性コア４１２は股下部Ｃに配されており、中央吸収性コア４１１と一対のサイド吸収性コア４１２，４１２それぞれとは、股下部Ｃにおいて、切離部４１３を介在させてそれぞれが分離し離間している。おむつ１Ｂにおいては、離間して空いた切離部４１３が空間部４１ｃである。切離部４１３は、その長さ（Ｙ方向の長さ）が５０〜８００ｍｍ、その幅（Ｘ方向の長さ）が１５〜１００ｍｍであることが好ましい。
【００３１】
おむつ１Ｂにおける接着剤５について詳述すると、接着剤５は、図５，図６，図７に示すように、吸収性コア４１の肌当接面（上面）と被覆シート４２との間に塗布された上面接着剤５Ｕと吸収性コア４１の非肌当接面（下面）と被覆シート４２との間に塗布された下面接着剤５Ｄとを有している。上面接着剤５Ｕ及び下面接着剤５Ｄにより、吸収性コア４１と被覆シート４２とが固定されている。
【００３２】
上面接着剤５Ｕの塗布領域について詳述すると、おむつ１Ｂにおいては、幅方向（Ｘ方向）においては、吸収性コア４１の両側部４１ｓ，４１ｓに配された空間部４１ｃ（切離部４１３）の頂点４１ｃ１，４１ｃ１同士の間に亘って形成されており、一対のサイド吸収性コア４１２，４１２の肌当接面（上面）に形成されており、長手方向（Ｙ方向）においては、吸収性コア４１の長手方向（Ｙ方向）の全長に亘って（腹側部Ａから背側部Ｂに亘って）形成されている。それ以外の領域、即ち、空間部４１ｃ（切離部４１３）の頂点４１ｃ１とサイド吸収性コア４１２の幅方向（Ｘ方向）内側縁４１２ｓとの間の領域においては吸収性コア４１の長手方向（Ｙ方向）の全長に亘って（腹側部Ａから背側部Ｂに亘って）形成されておらず、吸収性コア４１の空間部４１ｃ（切離部４１３）に対応する位置に塗布されていない。
【００３３】
下面接着剤５Ｄの塗布領域について詳述すると、おむつ１Ｂにおいては、上面接着剤５Ｕと同様に、幅方向（Ｘ方向）においては、吸収性コア４１の両側部４１ｓ，４１ｓに配された空間部４１ｃ（切離部４１３）の頂点４１ｃ１，４１ｃ１同士の間に亘って形成されており、一対のサイド吸収性コア４１２，４１２の非肌当接面（下面）に形成されており、長手方向（Ｙ方向）においては、吸収性コア４１の長手方向（Ｙ方向）の全長に亘って（腹側部Ａから背側部Ｂに亘って）形成されている。それ以外の領域、即ち、空間部４１ｃ（切離部４１３）の頂点４１ｃ１とサイド吸収性コア４１２の幅方向（Ｘ方向）内側縁４１２ｓとの間の領域においては吸収性コア４１の長手方向（Ｙ方向）の全長に亘って（腹側部Ａから背側部Ｂに亘って）形成されておらず、吸収性コア４１の空間部４１ｃ（切離部４１３）に対応する位置に塗布されていない。
【００３４】
上述したように、接着剤５（上面接着剤５Ｕ及び下面接着剤５Ｄ）は、おむつ１Ｂにおいては、空間部４１ｃ（切離部４１３）の頂点４１ｃ１とサイド吸収性コア４１２の幅方向（Ｘ方向）内側縁４１２ｓとの間の領域においては吸収性コア４１の長手方向（Ｙ方向）の全長に亘って（腹側部Ａから背側部Ｂに亘って）塗布されていないが、体液吸収後の吸収性コア４１の型崩れのし難さの観点から、空間部４１ｃ（切離部４１３）に対応する位置にのみ塗布されていないことが好ましい。
【００３５】
上述のように接着剤５（上面接着剤５Ｕ及び下面接着剤５Ｄ）が、吸収性コア４１の空間部４１ｃ（切離部４１３）に対応する位置に塗布されていないので、図６，図７に示すように、おむつ１Ｂにおける上面接着剤５Ｕ及び下面接着剤５Ｄは、空間部４１ｃ（切離部４１３）の頂点４１ｃ１とサイド吸収性コア４１２の幅方向（Ｘ方向）内側縁４１２ｓとの間の領域においては吸収性コア４１の腹側部Ａから背側部Ｂに亘って塗布されていないので、吸収性コア４１の空間部４１ｃ（切離部４１３）の上面（肌当接面）に位置する被覆シート４２Ｕと吸収性コア４１の空間部４１ｃ（切離部４１３）の下面（非肌当接面）に位置する被覆シート４２Ｄとが固定されていない。
【００３６】
吸収体４は吸収体固定用接着剤６を介して裏面シート３に固定されており、吸収体固定用接着剤６は、おむつ１Ｂにおいては、図６，図７に示すように、股下部Ｃにおける吸収性コア４１の中央吸収性コア４１１に対応する位置に塗布されている。具体的には、吸収体４と裏面シート３との間、即ち、吸収体４を構成する被覆シート４２と裏面シート３との間は、吸収体固定用接着剤６を塗布して、接合されている。吸収体固定用接着剤６の塗布領域について詳述すると、おむつ１Ｂにおいては、吸収体４と裏面シート３とが接合され固定されていれば良いが、下記おむつ１Ｂならではの効果を奏し易くする観点から、幅方向（Ｘ方向）においては、股下部Ｃにおける吸収性コア４１の中央吸収性コア４１１に対応する位置、即ち、吸収性コア４１の両側部４１ｓ，４１ｓ配された空間部４１ｃ（切離部４１３）の頂点４１ｃ１，４１ｃ１同士の間に亘って形成されており、長手方向（Ｙ方向）においては吸収性コア４１の全長に亘って（腹側部Ａから背側部Ｂに亘って）形成されている。
【００３７】
上述した本発明の第２実施形態のおむつ１Ｂを使用した際の作用効果について説明する。
第２実施形態のおむつ１Ｂの効果については、第１実施形態のおむつ１Ａの効果と異なる点について説明する。特に説明しない点は、おむつ１Ａの効果と同様であり、おむつ１Ａの効果の説明が適宜適用される。
【００３８】
おむつ１Ｂの接着剤５（上面接着剤５Ｕ及び下面接着剤５Ｄ）は、吸収性コア４１の空間部４１ｃ（切離部４１３）に対応する位置に塗布されておらず、吸収体４においては、吸収性コア４１の空間部４１ｃ（切離部４１３）の上面に位置する被覆シート４２Ｕと空間部４１ｃ（切離部４１３）の下面に位置する被覆シート４２Ｄとが接着剤５で固定されていない。また、おむつ１Ｂの吸収体固定用接着剤６は、股下部Ｃにおける吸収性コア４１の中央吸収性コア４１１に対応する位置に塗布されている。その為、図８に示すように、おむつ１Ａの使用中に、吸収性コア４１である中央吸収性コア４１１が装着者の体液を吸収して膨張したとしても、中央吸収性コア４１１の膨張を阻害し難く、更に一対のサイド吸収性コア４１２，４１２が装着者の体液を吸収して膨張したとしても、一対のサイド吸収性コア４１２，４１２が膨張しながら中央吸収性コア４１１側に移動できるのでサイド吸収性コア４１２の膨張を阻害し難く、吸収体４に含まれる吸収性ポリマー本来の吸収力が十分に発揮され、防漏性が向上する。
【００３９】
本発明の使い捨ておむつは、上述の第１実施形態のおむつ１Ａ、第２実施形態のおむつ１Ｂに何ら制限されるものではなく、適宜変更可能である。また、上述の第１〜第２実施形態のおむつ１Ａ〜１Ｂにおける各構成要件は、本発明の趣旨を損なわない範囲で、適宜組み合わせて実施できる。
【００４０】
例えば、上述の第２実施形態の使い捨ておむつ１Ｂにおいては、図５に示すように、各サイド吸収性コア４１２は、切離部４１３を介在させることにより中央吸収性コア４１１と完全に独立しているが、各サイド吸収性コア４１２は、背側部Ｂ側の長手方向（Ｙ方向）端部及び腹側部Ａ側の長手方向（Ｙ方向）端部のいずれか一方が中央吸収性コア４１１と連設されていてもよく、背側部Ｂ側の長手方向（Ｙ方向）端部及び腹側部Ａ側の長手方向（Ｙ方向）端部のいずれもが中央吸収性コア４１１と連設されていてもよい。
【００４１】
また、上述の第１〜第２実施形態の使い捨ておむつ１Ａ，１Ｂは、展開型の使い捨ておむつであったが、パンツ型使い捨ておむつであってもよい。
【実施例】
【００４２】
以下、本発明を実施例により更に具体的に説明するが、本発明は斯かる実施例に限定されるものではない。
【００４３】
〔実施例１〕
実施例１では、上述した図１〜図３に示す使い捨ておむつの具備する吸収体を作製した。以下具体的に説明する。吸収体を構成する吸収性コアは、長さ３６０ｍｍ、幅１１０ｍｍであり、その両側部の括れ部の頂点が吸収性コアの外側縁から幅方向内側に１５ｍｍの位置となるように括れさせて作製した。吸収性コアは、高吸収性ポリマー（サンダイヤポリマー製：品番IM930）を坪量１９０ｇ／ｍ2、パルプ坪量２０５ｇ／ｍ2となるようにポリマー及びパルプを分散させて作製した。このように作製した吸収性コアの上面及び下面に、上面接着剤及び下面接着剤を、図２，図３に示すように、幅方向においては、吸収性コアの括れ部の頂点同士の間に亘って塗布し、長手方向においては、吸収性コアの全長に亘って塗工量６ｇ／ｍ2で塗工した。次いで、このように接着剤を塗布した吸収性コアを被覆シートであるティッシュペーパー（坪量１３．５ｇ／ｍ2）で包んで実施例１の吸収体を作製した。
【００４４】
〔実施例２〕
実施例２では、上述した図５〜図７に示す使い捨ておむつの具備する吸収体を作製した。以下具体的に説明する。吸収体を構成する吸収性コアは、長さ３５０ｍｍ、幅１３５ｍｍであり、吸収性コアの両外側縁それぞれから幅方向内側に２５ｍｍの位置に、空間部となる切離部を形成した。切離部は、長さ１７８ｍｍ、幅１５ｍｍであった。吸収性コアは、高吸収性ポリマー（サンダイヤポリマー製：品番IM930）を坪量１３５ｇ／ｍ2、パルプ坪量１１７ｇ／ｍ2となるようにポリマー及びパルプを分散させて作製した。このように作製した吸収性コアの中央吸収性コア及び一対のサイド吸収性コアそれぞれの上面及び下面に、上面接着剤及び下面接着剤を、図６，図７に示すように、吸収性コアの全長に亘って塗工量６ｇ／ｍ2で塗工した。次いで、このように接着剤を塗布した吸収性コアを被覆シートであるティッシュペーパー（坪量１３．５ｇ／ｍ2）で包んで実施例２の吸収体を作製した。
【００４５】
〔比較例１〕
比較例１では、上述した実施例１と同じ吸収性コアを用いた。実施例１と同じ接着剤を、塗工量６ｇ／ｍ2となるように、実施例１と同じティッシュペーパーの全面に塗工し、接着剤を塗工したティッシュペーパーで吸収性コアを包んで比較例１の吸収体を作製した。
【００４６】
〔比較例２〕
比較例２では、上述した実施例２と同じ吸収性コアを用いた。実施例２と同じ接着剤を、塗工量６ｇ／ｍ2となるように、実施例２と同じティッシュペーパーの全面に塗工し、接着剤を塗工したティッシュペーパーで吸収性コアを包んで比較例２の吸収体を作製した。
【００４７】
〔評価〕
作製した各吸収体について、以下の方法により、ウエットバック量（人工尿分割注入時）をそれぞれ評価した。また人工尿の全量注入後の漏れを目視にて観察した。これらの結果を下記表１に示す。
【００４８】
＜ウエットバック量の評価＞
各吸収体を水平面上に固定した状態で、吸収体の中心部に人工尿４０ｇを吸収させ、１０分間放置し、さらに人工尿４０ｇを吸収させた。この操作を繰り返し合計８０ｇの人工尿を注入した。次いで、人工尿の吸収部位上にアドバンテック製の７０ｍｍ×７０ｍｍのサイズのろ紙を１６枚重ね、更にその上に１００ｍｍ×１００ｍｍの３．５ｋｇの錘をのせた。２分経過後錘を取り除き、人工尿を吸収したろ紙の重量を測定した。この重量から吸収前のろ紙の重量を差し引き、その値をウエットバック量とした。
【００４９】
【表１】
0005912428.tif 000002
【００５０】
表１の結果から明らかなように、実施例１の吸収体は、比較例１の吸収体に比べてウエットバック量が少なく、吸収体に含まれる吸収性ポリマー本来の吸収力を十分に発揮でき、漏れ回数も少ないことが分かった。このような実施例１の吸収体を用いて使い捨ておむつを作製すると、実施例１の吸収体を用いて作製したおむつは、比較例１の吸収体を用いて作製したおむつに比べて、防漏性の向上が期待できる。
また、表１の結果から明らかなように、実施例２の吸収体は、比較例２の吸収体に比べてウエットバック量が少なく、吸収体に含まれる吸収性ポリマー本来の吸収力を十分に発揮でき、漏れ回数も少ないことが分かった。このような実施例２の吸収体を用いて使い捨ておむつを作製すると、実施例２の吸収体を用いて作製したおむつは、比較例２の吸収体を用いて作製したおむつに比べて、防漏性の向上が期待できる。
【符号の説明】
【００５１】
１Ａ，１Ｂ  使い捨ておむつ
２  表面シート
３  裏面シート
４  吸収体
４１  吸収性コア
４１ｃ  空間部
４１ｃ１  空間部の幅方向内方側の頂点
４１ｓ  吸収性コアの側部
４１１  中央吸収性コア
４１１ｓ  中央吸収性コアの側縁部
４１２  サイド吸収性コア
４１３  切離部
４２  被覆シート
４２Ｕ  吸収性コアの空間部の上面（肌当接面）に位置する被覆シート
４２Ｄ  吸収性コアの空間部の下面（非肌当接面）に位置する被覆シート
５  接着剤
５Ｕ  上面接着剤
５Ｄ  下面接着剤
６  吸収体固定用接着剤
７  ファスニングテープ
Ａ  腹側部，Ｂ  背側部，Ｃ  股下部
ＣＬ  おむつの長手方向に延びる中心線
【図１】
0005912428.tif 000003
【図２】
0005912428.tif 000004
【図３】
0005912428.tif 000005
【図４】
0005912428.tif 000006
【図５】
0005912428.tif 000007
【図６】
0005912428.tif 000008
【図７】
0005912428.tif 000009
【図８】
0005912428.tif 000010